(57)【特許請求の範囲】
【請求項１】
プレキャストコンクリート版で構成された建物の壁面に設けられる窓であって、
前記窓は金属製押出形材からなる保持枠に面材を保持して構成され、
前記保持枠は室外側に配置された室外側保持辺を有し、前記室外側保持辺における開口部の内周側端縁には凹部状のシール保持溝が形成され、前記シール保持溝にはプレキャストコンクリート版および面材の室外面に密着して前記室外側保持片が室外側に露出しないように被覆する乾式シール材が窓開口内周面の全周に渡って取り付けられており、
前記室外側保持辺はその室外面が前記プレキャストコンクリート版で被覆され、プレキャストコンクリート版の室外側に保持枠が露出しないように埋設され、面材の下端側の乾式シール材が室外側に露出していることを特徴とする窓。
【請求項２】
請求項１に記載の窓において、前記保持枠は、面材の室外側に配置された室外側保持辺を有する保持枠本体と、この保持枠本体に取り付けられて面材の室内側に露出して配置された押縁とで構成されている窓。
【請求項３】
請求項２に記載の窓において、前記面材の下端縁を保持する保持枠の押縁には結露排水溝が形成されている窓。
【発明の詳細な説明】
【０００１】
【発明の属する技術分野】
本発明は、プレキャストコンクリート版（ＰＣ版）で構成される建物の壁面に、ガラスパネル等の面材を組み込んで構成される窓に関する。
【０００２】
【背景技術】
建物の壁面に形成される窓として、ＰＣ版からなる壁材に板ガラスを取り付けてなるものが知られている。このような窓において、ＰＣ版に板ガラスを取り付けるには、通常、ＰＣ版の開口内周面にアルミ押出形材等からなる窓用の枠材を取り付け、この枠材に板ガラスを保持させて取り付けていた。
【０００３】
【発明が解決しようとする課題】
この場合、窓の外観意匠は、ＰＣ版の開口内周面に枠材が露出し、その内側にガラスが配置された３層構造となり、建物のデザインによっては窓周囲が複雑になって外観意匠が低下してしまうことがあった。
【０００４】
このため、より外観意匠を簡略化させるために、特開平４−７４４０号公報にも記載されているように、ＰＣ版にガラス取付溝を形成し、ＰＣ版で直接ガラスを保持する場合もあった。
【０００５】
しかしながら、ＰＣ版に形成したガラス取付溝は、アルミ押出形材等で構成される枠材に比べて寸法精度が低いため、ガラスをガラス取付溝を基準に位置合わせすることが難しく、設置作業性が低下するという問題があった。
【０００６】
また、ＰＣ版のガラス取付溝では、バックアップ材を位置決めして設置することが難しいためなどで、ＰＣ版とガラス間に湿式シールを打つことは困難であった。このため、特開平４−７４４０号公報のように、湿式シールを打つ場合には押縁等の金属材をガラス取付溝内に配置してボルト等で固定しなければならず、シール作業性が低下するという問題もあった。
【０００７】
本発明の目的は、窓の外観に枠材が露出することを防止でき、かつ面材の位置決め精度やシール作業性を向上できる窓を提供することにある。
【０００８】
【課題を解決するための手段】
本発明は、プレキャストコンクリート版で構成された建物の壁面に設けられる窓であって、前記窓は金属製押出形材からなる保持枠に面材を保持して構成され、前記保持枠は室外側に配置された室外側保持辺を有し、前記室外側保持辺における開口部の内周側端縁には凹部状のシール保持溝が形成され、前記シール保持溝にはプレキャストコンクリート版および面材の室外面に密着して前記室外側保持片が室外側に露出しないように被覆する乾式シール材が窓開口内周面の全周に渡って取り付けられており、この室外側保持辺はその室外面が前記プレキャストコンクリート版で被覆され、プレキャストコンクリート版の室外側に保持枠が露出しないように埋設され、面材の下端側の乾式シール材が室外側に露出していることを特徴とするものである。
【０００９】
ここで、面材としては、単板ガラス、複層ガラス等の一般的なガラスパネルや、熱線反射ガラス、さらには金属パネル等の各種パネルが利用できる。
【００１０】
本発明においては、保持枠は、室外面がプレキャストコンクリート版で被覆されているので、保持枠を設けていても枠が室外面に露出せず、窓の外観はプレキャストコンクリート版とガラス等の面材のみになるため、窓周りの意匠を簡略化することができ、意匠性を向上することができる。
さらに、面材は保持枠内に保持されているので、通常のサッシ窓と同様に、面材の位置合わせやシールは保持枠に対して行うことができる。このため、面材の位置決め精度を向上でき、かつシール作業性も向上することができる。
【００１２】
保持枠と、その内部に配置された面材との間には、雨水等の浸入を防止するシールを設ける。このシール材として、保持枠の室外側保持辺に取り付けられるグレイジングガスケット等の乾式シール材を用いれば、通常、アルミなどの金属製である保持枠の室外側保持辺を乾式シールで被覆して室外側に露出しないようにすることができ、断熱性能を向上できる。また、乾式シール材は、シリコーン樹脂等で構成されているため、着色することもでき、意匠性をより向上することもできる。
【００１３】
さらに、前記保持枠は、面材の室外側に配置された室外側保持辺を有する保持枠本体と、この保持枠本体に取り付けられて面材の室内側に露出して配置された押縁とで構成されていることが好ましい。
【００１４】
保持枠が保持枠本体と押縁とで構成されていれば、押縁を外した状態でガラス等の面材を保持枠内に配置した後、押縁を取り付けて面材を保持できるので、面材の取付作業を容易に行うことができる。また、押縁は室内側に露出しているので、施工後に押縁を外して面材を交換することもでき、メンテナンス作業も容易に行うことができる。
【００１５】
また、前記面材の下端縁を保持する保持枠の押縁には結露排水溝が形成されていることが好ましい。面材の室内側に配置される押縁に結露排水溝が形成されていれば、面材の室内面に付着した結露水が保持枠部分に垂れてきても、その結露水を排水溝で受けて室外側に排水することができる。
また、結露排水溝は下枠のみに設ければよいが、この結露排水溝を押縁に形成すれば、押縁のみを結露排水溝を有するものと、有さないものの２種類用意すればよく、保持枠本体には断面形状が同一の押出形材を用いることができるので、部品種類を少なくできてコストを低減できる。
【００１６】
【発明の実施の形態】
以下に、本発明の実施の形態を図面に基づいて説明する。
図１には、プレキャストコンクリート版（ＰＣ版）で構成された外壁１に設けられる窓に本発明を適用した実施形態が示されている。
建物の外壁１は、図示しない建物躯体に固定されたプレキャストコンクリート版（ＰＣ版）２，３を備えている。
【００１７】
ＰＣ版２は、建物の外壁に沿って上下方向に配置され、ＰＣ版３はＰＣ版２間に横方向に配置されている。そして、これらの各ＰＣ版２，３で囲まれた開口部４に面材であるガラス５が配置されている。
なお、ＰＣ版３は、図２にも一部示すように、下方に向かうに従って徐々に室外側に張り出して庇状に形成された庇状部分３Ａと、その庇状部分３Ａの下方に配置された壁状部分３Ｂとを備えている。
【００１８】
各ＰＣ版２，３には、図３〜５にも示すように、保持枠６，７，８が埋設されている。なお、図３は図１のＡ−Ａ線に沿った縦断面図、図４は図１のＢ−Ｂ線に沿った縦断面図、図５は図１のＣ−Ｃ線に沿った横断面図である。
【００１９】
図３に示すように、ＰＣ版３の下面つまり開口部４の上端縁に配置されて上枠となる保持枠６は、保持枠本体１０と、この保持枠本体１０に係合される押縁２０とを備えて構成されている。
同様に、図５に示すように、ＰＣ版２の側面つまりり開口部４の左右両側端縁に配置されて縦枠となる保持枠８も、保持枠本体１０と、この保持枠本体１０に係合される押縁２０とを備えて構成されている。
【００２０】
一方、図４に示すように、ＰＣ版３の上面つまり開口部４の下端縁に配置されて下枠となる保持枠７は、保持枠本体１０と、この保持枠本体１０に係合される押縁３０とを備えて構成されている。
【００２１】
ここで、各保持枠６〜８の保持枠本体１０は、アルミなどの金属製の押出形材からなり、断面形状がまったく同一の形材で構成されている。具体的には、保持枠本体１０は、室外側に配置された室外側保持辺１１と、室内側に配置されて前記室外側保持辺１１よりも見付け寸法が小さくされた室内側係合辺１２と、これらの各保持辺１１および係合辺１２を連結する２つの連結辺１３とで構成されている。
【００２２】
保持枠本体１０の室外側保持辺１１における開口部４の内周側端縁には、凹部状のシール保持溝１１Ａが形成されている。また、室内側係合辺１２における開口部４の内周側端縁は、図６にも示すように、室外側保持辺１１側に突出された突出部１２Ａが形成されている。さらに、連結辺１３には、断面Ｌ字状の係合部１３Ａが一体に形成されている。
【００２３】
また、室外側保持辺１１はその室外面がＰＣ版２，３で完全に被覆されており、ＰＣ版２，３の室外側に保持枠本体１０が露出しないように埋設されている。なお、本実施形態では、保持枠７では、保持枠７の開口内周面とＰＣ版３の開口内周面とが揃っており、保持枠６，８では、ＰＣ版２，３の開口内周面が保持枠６，８よりも開口内側に延長されている。
【００２４】
各保持枠本体１０の長手方向端面は４５度の傾斜面となるように切断されており、この各傾斜面同士を突き合わせて接合することで各保持枠本体１０は四角枠状に組み立てられている。この際、保持枠８の２つの連結辺１３間の空間には、Ｌ字状に形成されたコーナーブロック１５の１辺側が嵌入されてボルト止めされており、このコーナーブロック１５の他辺側を保持枠６，７の連結辺１３間に嵌入することで各保持枠本体１０同士を位置合わして接合している。
【００２５】
各保持枠６〜８の押縁２０，３０は、結露排水溝３５の有無のみが異なり、各保持枠本体１０への係合部分は同一形状に構成されている。
すなわち、図３，５にも示すように、押縁２０は、断面略Ｌ字状に形成され、各保持枠本体１０の突出部１２Ａが当接係合される室内側係合部２１と、係合部１３Ａが当接係合される室外側係合部２２とを備えている。また、押縁２０の室外側保持辺１１に対向配置される室内側保持辺２３には、シール受け部２３Ａが室外側保持辺１１側に向かって突設されている。
【００２６】
押縁３０も、押縁２０と同様に、図４，６に示すように、保持枠本体１０の突出部１２Ａが当接係合される室内側係合部３１と、係合部１３Ａが当接係合される室外側係合部３２と、押縁２０の室外側保持辺１１に対向配置されかつシール受け部３３Ａが形成された室内側保持辺３３とを備えている。
さらに、押縁３０には、室内側保持辺３３から室内側に突出された突出辺部３４が形成され、この突出辺部３４および室内側保持辺３３により結露排水溝３５が形成されている。
【００２７】
これらの各押縁２０，３０は、シリコーン発泡体等で構成された気密材２４を挟んで保持枠本体１０に係合されている。なお、押縁２０，３０の気密材２４に当接する部分には突起３９が形成され、気密材２４に保持枠本体１０や押縁２０，３０を圧着することができるように構成されている。
【００２８】
押縁３０の結露排水溝３５の底面（突出辺部３４）には、水抜孔３６が形成されている。この水抜孔３６は、押縁３０の長手寸法に応じた数および位置に形成されている。例えば、押縁３０が１２００ｍｍ程度の長さを有する場合には、２つの水抜孔３６を両端から４００ｍｍ  程度の位置にそれぞれ形成すればよい。
水抜孔３６には、アルミ製の結露排水パイプ３７Ａを介して塩化ビニル等で構成された排水ホース３７が接続され、結露排水溝３５内に流れ込んだ結露水等を水抜孔３６、結露排水パイプ３７Ａ、排水ホース３７を介して室外側に排水できるように構成されている。
なお、結露排水溝３５の両端面にはアルミ製の小口蓋３８が取り付けられて、結露排水溝３５内に流れ込んだ雨水が結露排水溝３５の端面から漏れないようにされている。
【００２９】
また、下枠となる保持枠７の２枚の連結辺１３にも、水抜孔１６および水抜孔１７がそれぞれ形成されている。開口部４側の連結辺１３に形成された水抜孔１６と、ＰＣ版３側の連結辺１３に形成された水抜孔１７は、数および配置位置を同じにしてもよいが、本実施形態では数および位置を異ならせている。具体的には、水抜孔１６として直径８ｍｍのものを３カ所に形成し、水抜孔１７としては直径１２ｍｍのものを２カ所に形成している。
【００３０】
水抜孔１７には、アルミ製の水抜きパイプ１８Ａを介して排水ホース１８が接続されて、保持枠７内に浸入した雨水等を水抜孔１６，１７、水抜きパイプ１８Ａ、排水ホース１８を介して室外側に排水できるように構成されている。
なお、保持枠７の両端面には縦枠である保持枠８が接合されて塞がれ、かつ連結辺１３間の空間にはコーナーブロック１５が嵌入されて塞がれるため、別途小口蓋を設けなくても保持枠７の端面からの雨水の漏れは防止できる。
【００３１】
保持枠６〜８で保持されるガラス５は、複層ガラスであり保持枠７に置かれたセッティングブロック４１上に載置されている。そして、ガラス５は、保持枠本体１０のシール保持溝１１Ａに取り付けられた乾式シール材であるグレイジングガスケット４２と、押縁２０，３０のシール受け部２３Ａに当接されたバックアップ材４３およびシリコーン系のシーリング材４４とを介して、室外側保持辺１１および室内側保持辺２３，３３で保持されている。
【００３２】
グレイジングガスケット４２は、シリコーン樹脂で構成され、適宜な着色剤を混ぜて成形することで着色することも可能とされている。このグレイジングガスケット４２は、各保持枠６〜８に取り付けられて開口部４の内周面に沿って四周連続して設けられている。
そして、グレイジングガスケット４２は、シール保持溝１１Ａに取り付けられて室外側保持辺１１の開口部４側を被覆するとともに、ＰＣ版２，３およびガラス５に密着されて雨水の浸入を防止するようにシールしている。
【００３３】
なお、図３に示すように、上枠用の保持枠６に取り付けられた押縁２０には、室内側に向かって連結片２６が形成されてブラインドボックスや額縁材等の化粧材４５が連結支持されている。
また、図５に示すように、縦枠用の保持枠８に取り付けられた押縁２０にも、額縁材等の化粧材４５が取り付けられている。
さらに、図４に示すように、下枠用の保持枠７に取り付けられた押縁３０にも、ペリカバー等の化粧材４５が取り付けられている。
なお、各ＰＣ版２，３の室内面は、耐火被覆材５０で被覆されている。
【００３４】
このような本実施形態においては、まず各ＰＣ版２，３を工場で作成する。この際、保持枠本体１０を配置した状態で型枠を組んでコンクリートを打設することで予め保持枠本体１０を各ＰＣ版２，３に埋設しておく。
このようなＰＣ版２，３を建設現場で躯体に固定し、保持枠本体１０にグレイジングガスケット４２を取り付ける。そして、開口部４にガラス５を配置するとともに、押縁２０，３０を取り付け、さらにバックアップ材４３、シーリング材４４を充填する。そして、各化粧材４５等を取り付けて窓を仕上げる。
【００３５】
このような本実施形態によれば、次のような効果がある。
１）ＰＣ版２，３に埋設された保持枠６〜８の保持枠本体１０は、その室外面をＰＣ版２，３で被覆しているので、ＰＣ版２，３の室外側に保持枠６〜８が露出することを防止できる。
このため、保持枠６〜８を用いながら、窓の外観からは保持枠６〜８を無くすことができ、ＰＣ版２，３とガラス５のみが露出して見えるため、窓の外観意匠を簡略化することができ、意匠性に優れた窓を形成することができる。
【００３６】
２）面材であるガラス５は、保持枠６〜８に保持されているので、通常のサッシ窓と同様に、ガラス５の位置合わせやシールを保持枠６〜８に対して行うことができ、ガラス５の位置決め精度を向上でき、かつシーリング材４４等のシール作業性も向上することができる。
【００３７】
３）保持枠６〜８の室外側保持辺１１に乾式シール材であるグレイジングガスケット４２を取り付けて室外側保持辺１１を被覆しているので、金属製の保持枠本体１０は室外に露出せず、このため保持枠本体１０が外気に直接触れて冷やされたり、熱せられることがなく、保持枠６〜８の断熱性能を向上することができる。
【００３８】
４）グレイジングガスケット４２は、シリコーン樹脂で構成されているため、容易に着色することもでき、ＰＣ版２，３やガラス５に合わせて着色することで意匠性をより向上することもできる。特に、本実施形態では、図１に示すように、ガラス５の下端側のみにグレイジングガスケット４２が僅かに露出するため、このグレイジングガスケット４２を適切な色に着色することで、窓の外観にアクセントを付けることができ、窓の意匠性をより高めることができる。
【００３９】
５）保持枠６〜８を保持枠本体１０と押縁２０，３０とで構成しているので、押縁２０，３０を外した状態でガラス５を保持枠６〜８内に配置し、その後、押縁２０，３０を保持枠本体１０に係合させてガラス５を保持できるので、ガラス５の取付作業を容易に行うことができ、設置時の作業性を向上できる。
【００４０】
６）さらに、押縁２０，３０は、ＰＣ版２，３に埋設されずに室内側に露出しているので、施工後に押縁２０，３０を外してガラス５を交換することもでき、ガラス５が破損した場合等のメンテナンス作業も容易に行うことができる。
【００４１】
７）ガラス５の室外側のシール材に乾式シール材（グレイジングガスケット４２）を用いているので、保持枠本体１０に予めグレイジングガスケット４２を取り付けた状態でガラス５を設置することができ、ガラス５を設置した後に室外側のシール作業を行う必要がないため、室内側からの作業のみで窓を施工することができ、ビルの高層階等での現場作業性を向上できる。
【００４２】
８）保持枠６〜８の保持枠本体１０および押縁２０，３０間に気密材２４を介在させたので、保持枠本体１０および押縁２０，３０間の隙間から外気が室内側に流入することを確実に防止でき、気密性能の高い窓を形成することができる。特に、押縁２０，３０に気密材２４に圧接する突起３９を形成したので、気密材２４と保持枠本体１０や押縁２０，３０とが確実に密着されて気密性能をより一層向上することができる。
【００４３】
９）押縁３０に結露排水溝３５を形成したので、ガラス５の室内面に付着した結露水が流れ落ちても、その結露水を結露排水溝３５で受けて室外側に排水することができる。このため、結露が発生した場合であっても室内側への漏水を確実に防止することができる。
【００４４】
１０）結露排水溝３５を押縁３０に形成したので、各保持枠６〜８の保持枠本体１０を同一形材で構成することができ、保持枠本体１０の製造コストを低減することができる。
また、保持枠本体１０は予めＰＣ版２，３に埋設するため、保持枠本体１０が１種類であれば、ＰＣ版２，３の製造時に保持枠本体１０の種類を確認して選択する必要が無く、ＰＣ版２，３の製造時の作業性も向上することができる。
【００４５】
１１）下枠となる保持枠７にも、水抜孔１６，１７や排水ホース３７を設けたので、仮にグレイジングガスケット４２およびガラス５間等から雨水が浸入しても、その雨水を容易にかつ確実に室外側に排水することができる。
【００４６】
なお、本発明は、前述の実施形態に限定されない。
例えば、前記実施形態では、押縁３０に結露排水溝３５を形成していたが、保持枠本体１０側に結露排水溝を形成してもよい。この場合には、前記実施形態とは逆に、２種類の保持枠本体を用意する必要があるが、押縁を同一の形材で構成することができる。
【００４７】
また、保持枠６〜８は、保持枠本体１０および押縁２０，３０の２部材で構成されるものに限らず、断面略コ字状等に形成された一体型の保持枠を用いてもよい。この場合には、ガラス５をけんどん方式で取り付ければよい。
但し、押縁２０，３０を用いたほうが、ガラス５の着脱作業が容易になり、設置時やメンテナンス時の作業性を向上できるとともに、保持枠本体１０等の部材を共通化することができる点で好ましい。
【００４９】
さらに、保持枠６〜８の室外面はＰＣ版２，３で被覆されていればよく、ＰＣ版の具体的な形状、保持枠６〜８の埋設構造等は実施にあたって適宜設定すればよい。例えば、保持枠７のように、保持枠７の開口内周面とＰＣ版３の開口内周面とを揃えてもよいし、保持枠６のように、ＰＣ版２，３の開口内周面を保持枠６よりも開口内側に延長してもよく、要するに室外側から保持枠６〜８が見えないように配置されていればよい。
【００５０】
また、前記実施形態では、ガラス５の下端側のグレイジングガスケット４２のみが室外側に露出するようにしていたが、ガラス５の上端側や左右両端側のグレイジングガスケット４２も室外側に露出するように構成してもよい。
【００５１】
面材としては、複層ガラスに限らず、一般的な単板ガラスや断熱パネル、さらには樹脂パネルや金属パネル等でもよく、これらは実施にあたって適宜選択すればよい。特に、本実施形態では、面材に合わせてグレイジングガスケット４２を着色することができるので、様々な材質の面材を用いた場合でも意匠性を向上することができる。
【００５２】
本発明の窓は、カーテンウォール方式の壁や耐力壁等の各種の壁に窓を形成する場合に広く適用できる。
【００５３】
【発明の効果】
このような本発明の窓によれば、枠材が露出することを防止できて外観意匠を向上でき、かつ面材の位置決め精度やシール作業性を向上できるという効果がある。
【図面の簡単な説明】
【図１】本発明の一実施形態における外壁を示す正面図である。
【図２】前記実施形態の窓を示す斜視図である。
【図３】図１のＡ−Ａ線に沿った縦断面図である。
【図４】図１のＢ−Ｂ線に沿った縦断面図である。
【図５】図１のＣ−Ｃ線に沿った横断面図である。
【図６】前記実施形態の窓の下枠部分を示す分解図である。
【符号の説明】
１…外壁、２，３…プレキャストコンクリート版（ＰＣ版）、４…開口部、５…面材であるガラス、６，７，８…保持枠、１０…保持枠本体、１１…室外側保持辺、１１Ａ…シール保持溝、１２…室内側係合辺、１３…連結辺、１５…コーナーブロック、１６，１７…水抜孔、１８，３７…排水ホース、２０…押縁、２１…室内側係合部、２２…室外側係合部、２３…室内側保持辺、２４…気密材、３０…押縁、３１…室内側係合部、３２…室外側係合部、３３…室内側保持辺、３４…突出辺部、３５…結露排水溝、３６…水抜孔、３８…小口蓋、４１…セッティングブロック、４２…乾式シール材であるグレイジングガスケット、４３…バックアップ材、４４…シーリング材、４５…化粧材、５０…耐火被覆材
【図１】
0003571213.tif 000002
【図２】
0003571213.tif 000003
【図３】
0003571213.tif 000004
【図４】
0003571213.tif 000005
【図５】
0003571213.tif 000006
【図６】
0003571213.tif 000007